(57)【特許請求の範囲】
【請求項１】
鉄蓋が嵌め込まれる受枠の内側に挿入可能な支柱と、前記支柱の下部に起倒自在に取り付けられた梯子本体と、前記梯子本体に固定された落下防止用網と、前記梯子本体を起立させたときに、前記梯子本体を前記支柱にロックするロック手段とからなり、前記支柱は、これを前記受枠に挿入したときに前記受枠の上方に突出し、前記梯子本体は、前記受枠内に収容可能な大きさを有し、前記落下防止用網は、前記受枠の内側全面を覆う大きさを有することを特徴とする地下埋構造物用落下防止網付き梯子。
【請求項２】
前記支柱が前記受枠に対して外方に傾斜して挿入可能であることを特徴とする、請求項１記載の地下埋構造物用落下防止網付き梯子。
【発明の詳細な説明】
【０００１】
【発明の属する技術分野】
この発明は、マンホールや枡類等の地下埋構造物の上部に取り付けられる落下防止網付き梯子、特に、地下埋構造物内への作業員の出入りが容易に行なえると共に、地下埋構造物内への作業員や工具等の異物の落下を防止することができ、しかも、容易に持ち運び可能な地下埋構造物用落下防止網付き梯子に関するものである。
【０００２】
【従来の技術】
従来、例えば、マンホール内に作業員が出入りする場合に、作業員の出入りを容易にする梯子をマンホールの入口に取り付けることが行なわれている。また、マンホール内に作業員や工具等の異物が落下するのを防止するために、マンホールの入口に落下防止用の網を取り付けることが行なわれている。
【０００３】
実開昭５８−１８１９００号公報には、図５に示すように、マンホールの鉄蓋用受枠１に着脱可能に取り付けられた梯子２が開示されている。以下、この梯子を従来技術１という。
【０００４】
また、実開昭６２−９９６４６号公報には、図６に示すように、落下防止用網３が取り付けられた鉄蓋４用受枠１が開示されている。以下、この受枠を従来技術２という。
【０００５】
【発明が解決しようとする課題】
しかしながら、従来技術１では、地下埋構造物への作業員の出入りは容易に行なえるものの、地下埋構造物への作業員や異物の落下を防止することができない。
【０００６】
また、従来技術２では、地下埋構造物への作業員や工具等の異物の落下は防止することができても、地下埋構造物へ作業員の出入りを容易にするといった効果はない。
【０００７】
従って、この発明の目的は、地下埋構造物内への作業員の出入りが容易に行なえると共に、地下埋構造物内への作業員や異物の落下を防止することができる、持ち運び可能な地下埋構造物用落下防止網付き梯子を提供することにある。
【０００８】
【課題を解決するための手段】
請求項１記載の発明は、鉄蓋が嵌め込まれる受枠の内側に挿入可能な支柱と、前記支柱の下部に起倒自在に取り付けられた梯子本体と、前記梯子本体に固定された落下防止用網と、前記梯子本体を起立させたときに、前記梯子本体を前記支柱にロックするロック手段とからなり、前記支柱は、これを前記受枠に挿入したときに前記受枠の上方に突出し、前記梯子本体は、前記受枠内に収容可能な大きさを有し、前記落下防止用網は、前記受枠の内側全面を覆う大きさを有することに特徴を有するものである。
【０００９】
請求項２記載の発明は、前記支柱が前記受枠に対して外方に傾斜して挿入可能であることに特徴を有するものである。
【００１０】
【発明の実施の形態】
この発明の地下埋構造物用落下防止網付き梯子の一実施態様を、図面を参照しながら説明する。
【００１１】
図１は、この発明の地下埋構造物用落下防止網付き梯子を示す分解斜視図、図２は、この発明の地下埋構造物用落下防止網付き梯子が取り付けられる受枠を示す斜視図、図３は、梯子本体を倒した、この発明の地下埋構造物用落下防止網付き梯子を示す断面図、図４は、梯子本体を起立させた、この発明の地下埋構造物用落下防止網付き梯子を示す断面図である。
【００１２】
図１から図４において、４は、受枠、５は、鉄蓋、６は、門形支柱、７は、支柱６の２本の下端部が嵌め込まれる、受枠４の内側に形成された２つの挿入孔である。挿入孔７に挿入された支柱６は、支柱６の下部に突設されたストッパー８により垂直に保持される。９は、支柱６の下部に軸９Ａを中心として起倒自在に取り付けられた梯子本体であり、その最上段の水平バー９Ａには、後述するロック手段と係合するフック１０が固定されている。梯子本体９は、受枠４内に嵌まり込むリング状枠体１１内に受枠４の径方向に亘って固定されている。枠体１１の周端部１１Ａが受枠４の内側段部４Ａに当たることによって、枠体１１と共に梯子本体９が受枠４内に水平に支持される。
【００１３】
１２は、梯子本体９上に固定された落下防止用網である。梯子本体９は、受枠４内に収容可能な大きさを有している。落下防止用網１２は、受枠４の内側全面を覆う大きさ、ドライバー等の小型工具が通過しない程度の網目、および、人が乗っても破損しない程度の強度を有している。
【００１４】
１３は、支柱６の水平部に取り付けられた、スナッチロック等と称されている従来公知のロック手段である。ロック手段１３は、梯子本体９を起立させたときに、梯子本体９を支柱６に固定する作用をし、梯子本体９のフック１０をロック手段１３の鉤溝１３Ａ内に嵌め込むと、自動的にフック１０が鉤体（図示せず）と係合してロックが行なえ、また、レバー１３Ｂを紐１３Ｃを介して回動させることにより、フック１０の係合を解除できるものである。
【００１５】
なお、図３の一点鎖線で示すように、支柱６を受枠４に対して外方に傾斜させて挿入させれば、フック１０の係合を解除したときに、梯子本体９が作業員の意に反して自重により倒れることがなく、梯子本体９を倒すときには、作業員が梯子本体９を引くことになり、安全性の面から好ましい。
【００１６】
このように構成されている、この発明の地下埋構造物用落下防止網付き梯子によれば、以下のようにして受枠に設置される。
【００１７】
梯子本体９を枠体１１と共に軸９Ａを中心として回動させ、ロック手段１３により支柱６に固定しておく。この状態で、設置する受枠４の場所まで運び、支柱６を受枠４の挿入孔７に挿入する。次いで、紐１３Ｃを引いてロック手段１３のレバー１３Ｂを回動させて、フック１０の係合を解除する。そして、梯子本体９を枠体１０と共に軸９Ａを中心として、枠体１１の周端部１１Ａが受枠４の段部４Ａに当たるまで倒す。これにより梯子本体９は、枠体１１と共に受枠４内に水平に支持される。このようにして、梯子本体９が水平に倒れると、受枠４は、図３に示すように、落下防止用網１２によって完全に塞がれる。従って、作業員は勿論、工具等の異物がマンホールＡ内に落下する恐れは皆無である。
【００１８】
一方、梯子本体９を枠体１１と共に軸９Ａを中心として起立させ、ロック手段１３によって支柱６に梯子本体９をロックすれば、図４に示すように、梯子本体９は、受枠４に垂直に固定される。従って、マンホールＡ内への作業員の出入りが容易に行なえる。
【００１９】
このように、作業員がマンホールＡ内に入るときには、紐１３Ｃを引くだけで梯子本体９のロックが解除され、一方、作業員がマンホールＡ内から出るときには、梯子本体９を下から垂直になるまで押し上げれば、フック１０がロック手段１３に自動的に係合して、梯子本体９がロックされるので、マンホールＡ内への出入りが極めて容易且つ安全に行なえる。
【００２０】
以上の説明は、この発明の地下埋構造物用落下防止網付き梯子をマンホールの鉄蓋用受枠に設置した例であるが、この他の地下構造物上に設置することも可能である。
【００２１】
【発明の効果】
以上説明したように、この発明によれば、受枠に挿入可能な支柱に起倒自在に梯子本体を取り付け、この梯子本体に落下防止用網を取り付けることにより、地下埋構造物内への作業員の出入りが容易に行なえると共に、地下埋構造物内への作業員や工具等の異物の落下を防止することができ、且つ、梯子本体を支柱に固定するロック手段を設けることにより梯子の搬送が容易に行なえると共に、作業員の異に反して梯子本体が倒れることがなくなるので、安全性が高まるといった有用な効果がもたらされる。
【００２２】
また、支柱を受枠に対して外方に傾斜させて挿入させれば、フックの係合を解除したときに、梯子本体が作業員の意に反して自重により倒れることがなく、梯子本体を倒すときには、作業員が梯子本体を引くことになり、安全性の面から好ましいといった有用な効果がもたらされる。
【図面の簡単な説明】
【図１】この発明の地下埋構造物用落下防止網付き梯子を示す分解斜視図である。
【図２】この発明の地下埋構造物用落下防止網付き梯子が取り付けられる受枠を示す斜視図である。
【図３】梯子本体を倒した、この発明の地下埋構造物用落下防止網付き梯子を示す断面図である。
【図４】梯子本体を起立させた、この発明の地下埋構造物用落下防止網付き梯子を示す断面図である。
【図５】従来技術１を示す斜視図である。
【図６】従来技術２を示す断面図である。
【符号の説明】
１：受枠
２：梯子
３：落下防止用網
４：受枠
４Ａ：段部
５：鉄蓋
６：支柱
７：挿入孔
８：ストッパー
９：梯子本体
９Ａ：軸
１０：フック
１１：枠体
１１Ａ：周端部
１２：落下防止用網
１３：ロック手段
１３Ａ：鉤溝
１３Ｂ：レバー
１３Ｃ：紐
【図１】
0003560913.tif 000002
【図２】
0003560913.tif 000003
【図３】
0003560913.tif 000004
【図４】
0003560913.tif 000005
【図５】
0003560913.tif 000006
【図６】
0003560913.tif 000007